(57)【要約】  【課題】  携帯型カメラを使用者の利き手に合わせて左右いずれの手でも保持・撮影可能にする。  【解決手段】  装置本体１はの両側面にそれぞれ液晶表示装置を取り付けるための左表示装置取付部１０Ｌ及び右表示装置取付部１０Ｒを備えている。また、左表示装置取付部１０Ｌの内部の上端部には左接続端子１１Ｌ及び左検出スイッチ１２Ｌが備えられており、右表示装置取付部１０Ｒの内部の下端部には右接続端子１１Ｒ及び右検出スイッチ１２Ｒが備えられている。そして、左表示装置取付部１０Ｌに液晶表示装置が取り付けられると、左検出スイッチ１２Ｌがそれを検出すると共に左接続端子１１Ｌにより電気的な接続が確保され、右表示装置取付部１０Ｒに液晶表示装置が取り付けられると、右検出スイッチ１２Ｒがそれを検出すると共に右接続端子１１Ｒにより電気的な接続が確保される。【選択図】        図１
2005109711.tif 000002
【特許請求の範囲】
【請求項１】
撮影中の画像を表示する表示装置と、該表示装置が取り外し可能に取り付けられる本体とを備えた携帯型カメラであって、
前記本体の左右両側にそれぞれ前記表示装置を取り付けるための取付手段を備えたことを特徴とする携帯型カメラ。
【請求項２】
前記両取付手段は、前記表示装置が取り付けられたことを検出する検出手段をそれぞれ備えたことを特徴とする請求項１に記載の携帯型カメラ。
【請求項３】
前記検出手段の一方が前記表示装置が取り付けられたことを検出した場合に、前記表示装置上での撮影中の画像の表示状態を前記検出手段の他方が前記表示装置が取り付けられたことを検出した場合とは左右及び上下を反転させた状態とする手段を備えたことを特徴とする請求項２に記載の携帯型カメラ。
【請求項４】
前記本体を使用者が片手で保持するための保持用ベルトと、
該保持用ベルトを前記本体の左右両側のいずれにも位置させることが可能なように、前記本体の前後部それぞれに前記保持用ベルトの両端部を取り付けるためのベルト取り付け部とを更に備えたこと
を特徴とする請求項１乃至３のいずれか一つに記載の携帯型カメラ。
【発明の詳細な説明】
【技術分野】
【０００１】
本発明は携帯型カメラ、たとえばいわゆるハンディタイプの片手で保持して撮影するように構成されたビデオカメラ，デジタルスチルカメラのような装置に関し、より具体的には本体から取り外し可能な小型のモニタ、たとえば液晶表示装置等を備えた携帯型カメラに関する。
【背景技術】
【０００２】
いわゆるハンディタイプの携帯型ビデオカメラは、片手で保持した状態で撮影が可能なように、一般的には箱型の装置本体の撮影者が片手で保持した場合に右側となる面に対して若干の間隙を有する状態で、本体の前部及び後部それぞれの取り付け部に両端部が取り付けられたベルトが設けられている。このようなベルトは、右利きの使用者が装置本体の右側面とベルトとの間の間隙に右手を挿入して本体を保持するために備えられている。そして、使用者が撮影をする場合、ベルトと装置本体との間に右手を挿入することにより装置本体を右手の手首に近い位置でベルトで支えた状態で装置本体を保持して撮影を行なう。
【０００３】
換言すれば、従来のこの種の装置は、使用者が右手で装置本体を保持することを前提として設計、製造されており、右利きの使用者にとっては問題は無かったが、左利きの使用者にとっては非常に使い難いものであった。
【０００４】
なお、上述のような従来の携帯型ビデオカメラの前述のようなベルトが設けられている側とは逆側である左側面には、一般的には撮影の際のモニタ用の液晶表示装置が取付けられている。この液晶表示装置は、装置本体に対して直交する２方向に回転可能な継手により取り付けられている場合が多く、装置本体に対して扉状に開閉可能であると共に、画面の左右方向を軸方向として回転することも可能に構成されている。このような液晶表示装置の構成は、いわゆる対面撮影、即ち撮影者が自分自身を撮影する際に装置本体の後端部に開口しているファインダを使用することができないので、液晶表示装置によって撮影中の画像を確認し得ることを目的としている。更に、液晶表示装置が装置本体から完全に分離可能（信号ケーブルは接続されている）に構成された携帯型ビデオカメラも実用化されている。
【０００５】
なお、上述のような従来の携帯型ビデオカメラの液晶表示装置のモニタは、多くの携帯型ビデオカメラが再生装置をも兼ねているため、再生画像の表示用に使用することも可能である。
【特許文献１】特開２００１−２２２０５７号公報
【特許文献２】特開２００１−３２０６２５号公報
【発明の開示】
【発明が解決しようとする課題】
【０００６】
しかしながら、上述のような従来の携帯型ビデオカメラは基本的には右利きの使用者を対象として設計、製造されているため、右手で装置本体を保持した場合には安定的に保持することが可能であると共に、装置本体の左側面に備えられているモニタを利用することも可能である。しかし、左利きの使用者にとっては、右手で装置本体を保持し、種々のスイッチを操作することには違和感があることは否めない。また、左利きの使用者が左手で装置本体を保持した場合には装置本体の左側面に備えられているモニタを利用することが出来ないことは明らかであり、その場合には装置本体の後端部に開口しているファインダを利用するしかなかった。またこの場合には、当然のことながら、いわゆる対面撮影に際しては液晶表示装置を使用できないため、感に頼った撮影しかできなかった。
【０００７】
なお、特許文献１には、左右いずれの手でも保持・撮影が可能になるように、撮像部が携帯型ビデオカメラ本体部の上に位置し、しかもこの本体部の頂面に実質的に垂直な軸線回りに少なくとも１８０度回転可能に取付けた発明が開示されている。しかしながら、この特許文献１に開示されている発明では、撮影部の回転及び反転に伴う撮像素子からの読み出し信号の調整、光学系内に光路を変換させるための反射鏡が必要になる等のようなビデオカメラの性能に重大な影響を及ぼす処置を施す必要がある。
【０００８】
更に、本願出願人が先に出願している特許文献２には、液晶表示装置付き制御装置を着脱自在に備えた携帯型ビデオカメラにおいて、液晶表示装置を携帯型ビデオカメラから分離させて装置本体とケーブルで接続することにより、液晶表示装置付き遠隔制御装置を用いてリモコン撮影をする際に、液晶表示装置付き遠隔制御装置のグリップ部を左右何れの手で把持して操作しても、液晶表示装置に表示される映像は上下及び左右に反転することがなく、常に正立した映像を確認しつつリモコン操作をすることが可能なモニタ部液晶表示装置付き制御装置が開示されている。しかし、この特許文献２に開示されている発明では、携帯型ビデオカメラそのものを保持するための構成に関しては言及されていない。
【０００９】
本発明は以上のような事情に鑑みて従来の携帯型カメラ、主として携帯型ビデオカメラが有している問題点を解決するためになされたものであり、特許文献２に開示されているモニタ部付き制御装置を液晶表示装置として用い、使用者の利き手に合わせて左右いずれの手でも装置本体を安定的に保持して撮影することが可能な携帯型カメラを提供することを目的とする。
【課題を解決するための手段】
【００１０】
本発明に係る携帯型カメラは、撮影中の画像を表示する表示装置と、該表示装置が取り外し可能に取り付けられる本体とを備えた携帯型カメラであって、前記本体の左右両側にそれぞれ前記表示装置を取り付けるための取付手段を備えたことを特徴とする。
【００１１】
このような本発明の携帯型カメラでは、装置本体の左右両側にそれぞれ備えられた取付手段により、装置本体の左右の内の使用者が望むいずれかの側に表示装置が取り付けられる。
【００１２】
また本発明に係る携帯型カメラは、上述の発明において、前記両取付手段は、前記表示装置が取り付けられたことを検出する検出手段をそれぞれ備えたことを特徴とする。
【００１３】
このような本発明の携帯型カメラでは、上述の発明において、表示装置が装置本体に取り付けられた場合に、装置本体の左右両側にいずれに取り付けられたかが自動的に検出される。
【００１４】
更に本発明に係る携帯型カメラは、上述の発明において、前記検出手段の一方が前記表示装置が取り付けられたことを検出した場合に、前記表示装置上での撮影中の画像の表示状態を前記検出手段の他方が前記表示装置が取り付けられたことを検出した場合とは左右及び上下を反転させた状態とする手段を備えたことを特徴とする。
【００１５】
このような本発明の携帯型カメラでは、上述の発明において、表示装置が装置本体の左右両側のいずれか一方の側に取り付けられた場合に、他方の側に取り付けられた場合とは表示装置上での表示状態が左右及び上下を反転させた状態になる。
【００１６】
また本発明に係る携帯型カメラは、上述の各発明のいずれか一つにおいて、前記本体を使用者が片手で保持するための保持用ベルトと、該保持用ベルトを前記本体の左右両側のいずれにも位置させることが可能なように、前記本体の前後部それぞれに前記保持用ベルトの両端部を取り付けるためのベルト取り付け部とを更に備えたことを特徴とする。
【００１７】
このような本発明の携帯型カメラでは、上述の各発明のいずれか一つにおいて、保持用ベルトが装置本体の左右両側のいずれの側にも位置させることが可能になる。
【発明の効果】
【００１８】
以上のような本発明の携帯型カメラによれば、使用者の利き手に合わせて、具体的には右利きの使用者の場合には左側に、左利きの使用者の場合には右側にそれぞれ表示装置を取り付けることが可能になる。
【００１９】
また本発明の携帯型カメラによれば、上述の発明において、表示装置が装置本体に取り付けられた場合に、装置本体の左右両側にいずれに取り付けられたかが自動的に検出されるので、表示装置が取り付けられた側に応じた処理を装置本体に内蔵されている電気回路により自動的に行なえるようになるため、使用者がその都度切換を行なわなければならないという煩雑さが無い。
【００２０】
また本発明の携帯型カメラによれば、上述の発明において、表示装置が装置本体の左右両側のいずれか一方の側に取り付けられた場合に、他方の側に取り付けられた場合とは表示装置上での表示状態が左右及び上下を反転させた状態になるので、使用者がその都度切換を行なわなければならないという煩雑さが無い。
【００２１】
更に本発明の携帯型カメラによれば、上述の各発明のいずれか一つにおいて、使用者の利き手に合わせて保持用ベルトを装置本体の左右両側のいずれかの側に位置させることにより、使用者の利き手には拘わらずに装置本体を確実に保持して撮影を行なうことが可能になる。
【発明を実施するための最良の形態】
【００２２】
以下、本発明に係る携帯型カメラの実施の形態について図面を参照して説明する。なお、以下実施の形態においては、本発明の携帯型カメラとしては最も一般的な記録再生型の携帯型ビデオカメラ、即ち記録媒体を内蔵し、これに撮影した動画像を記録し、また記録媒体に記録済みの動画像を再生することが可能なビデオカメラを例として説明する。しかし、本発明はそのような記録再生型の形態型ビデオカメラに限定されるものではなく、再生機能が無いタイプ、記録媒体を内蔵していないタイプ（撮影した画像を有線又は無線により送信するタイプ）、更にはデジタルスチルカメラにも適用可能であることはいうまでもない。
【００２３】
図１は、本発明の携帯型カメラ（以下、単に携帯型ビデオカメラという）から後述するモニタとしての表示装置を取り外した状態である本体部（以下、装置本体という）１の左右側面及び上面，底面を示す模式図である。なお、以下においては本発明のビデオカメラの装置本体１は略直方体形状（箱型）であり、その前面の上端部に撮影用レンズ２が、後面の上端部にファインダ３がそれぞれ装着されている。従って、図１(a) は装置本体１を左側面から見た模式的立面図、図１(b) は装置本体１を下側から見た模式的平面図をそれぞれ示していることになり、これらの図においては図上で左側が装置本体１の前部、右側が装置本体１の後部になる。また、図１(c) は装置本体１を上側から見た模式的平面図、図１(d) は装置本体１を右側から見た模式的立面図をそれぞれ示していることになり、これらの図においては図上で右側が装置本体１の前部、左側が装置本体１の後部になる。
【００２４】
図１(a), (b), (d) に示されている４Ｆは保持用ベルトを取り付けるための前部ベルト取付具であり、４Ｒは保持用ベルトを取り付けるための後部ベルト取付具である。前部ベルト取付具４Ｆは装置本体１の前面の下端部に、後部ベルト取付具４Ｒは装置本体１の後面の下端部にそれぞれ固定されており、これらに後述する保持用ベルト５の両端部がそれぞれ回動可能に取り付けられる。
【００２５】
１０Ｌはモニタとしての表示装置を装置本体１の左側面に取り付けるための左表示装置取付部であり、装置本体１の左側面の前端部寄りの部分に備えられている。この左表示装置取付部１０Ｌは後方に開口した状態の縦長のカバー状に形成されており、その内部の上端部には左接続端子１１Ｌと左検出スイッチ１２Ｌとが備えられている。左検出スイッチ１２Ｌは表示装置が左表示装置取付部１０Ｌに取り付けられた場合に接点が押圧されてオン状態になることにより、表示装置が左表示装置取付部１０Ｌに取り付けられたことを検出するように構成されている。また、左接続端子１１Ｌは、上述のように表示装置が左表示装置取付部１０Ｌに取り付けられた場合に、表示装置と装置本体１との間の電気的接続を確保するために備えられている。
【００２６】
１０Ｒは表示装置を装置本体１の右側面に取り付けるための右表示装置取付部であり、装置本体１の右側面の前端部寄りの部分に備えられている。この右表示装置取付部１０Ｒは後方に開口した状態の縦長のカバー状に形成されており、その内部の下端部には右接続端子１１Ｒと右検出スイッチ１２Ｒとが備えられている。右検出スイッチ１２Ｒは表示装置が右表示装置取付部１０Ｒに取り付けられた場合に接点が押圧されてオン状態になることにより、表示装置が右表示装置取付部１０Ｒに取り付けられたことを検出するように構成されている。また、右接続端子１１Ｒは、上述のように表示装置が右表示装置取付部１０Ｒに取り付けられた場合に、表示装置と装置本体１との間の電気的接続を確保するために備えられている。
【００２７】
なお上述したように、左表示装置取付部１０Ｌにはその内部の上端部に左接続端子１１Ｌ及び左検出スイッチ１２Ｌが、右表示装置取付部１０Ｒにはその内部の下端部に右接続端子１１Ｒ及び右検出スイッチ１２Ｒが備えられているが、これは一つの表示装置の上下端の一方の端部に備えられたコネクタプラグを、左接続端子１１Ｌ及び右接続端子１１Ｒと電気的に接続するために、表示装置の上下方向を逆にする必要があるからである。換言すれば、表示装置の上下端の双方にコネクタプラグを備える場合には、左表示装置取付部１０Ｌ及び右表示装置取付部１０Ｒ共に上端部又は下端部の一方に接続端子１１Ｌ，１１Ｒをそれぞれ備えればよい。
【００２８】
図２は本発明の携帯型ビデオカメラの装置本体１に対して取り外し可能に備えられた、換言すれば着脱自在のモニタとしての表示装置２０の構成及び表示状態を示す模式図である。但し、本実施の形態では表示装置としては液晶表示装置を使用しているので、以下においては液晶表示装置という。
【００２９】
なお、図２(a) は最も一般的な状態である液晶表示装置２０が装置本体１の左側面に取り付けられた場合、具体的には左表示装置取付部１０Ｌに取り付けられた場合の表示状態を示し、図２(b) は液晶表示装置２０が装置本体１の右側面に取り付けられた場合、具体的には右表示装置取付部１０Ｒに取り付けられた場合に図２(a) の表示状態のままに画像を表示した場合の表示状態を示し、図２(c) は図２(b) の状態において液晶表示装置２０の実際の表示部分である液晶パネルユニット２１に表示されている画像を上下及び左右Ｇ共に反転した場合の表示状態を示している。
【００３０】
なお、液晶表示装置２０に関しては、図２(a) に示されている装置本体１の左側面に取り付けられる状態を通常の状態とし、以下の説明においてはこの状態における位置関係、即ち上下左右を基準とする。図２に示されているように、液晶表示装置２０の左側にはチルト部２３が取り付けられており、このチルト部２３が更にグリップ部２４に取り付けられている。チルト部２３は液晶表示装置２０の液晶パネルユニット２１をその上下方向のほぼ中央部を左右に通る軸を回転中心として 180度回転可能な状態で支持している。
【００３１】
また、グリップ部２４は上端部にコネクタプラグ２２を備えた縦長の棒状の形状に構成されており、その上下方向のほぼ中央部のチルト部取付部２５にチルト部２３が取り付けられている。このチルト部２３が取り付けられているチルト部取付部２５はグリップ部２４の他の部分に対して、グリップ部２４の上下方向（長手方向）を回転軸として回転可能に構成されている。従って、液晶パネルユニット２１は、それ自体がチルト部２３により上下方向に回転可能であり、またチルト部２３がグリップ部２４に対して左右方向に回転可能であることにより左右に回転可能である。換言すれば、液晶パネルユニット２１はグリップ部２４に対して上下及び左右に自由に回転可能である。このことは、液晶表示装置２０がグリップ部２４により装置本体１の左表示装置取付部１０Ｌ又は右表示装置取付部１０Ｒに取り付けられた場合には、液晶パネルユニット２１が装置本体１に対して上下及び左右に自由に回転可能であることを意味している。
【００３２】
なお、グリップ部２４の外形形状は、図２(a) に示す状態で前述した図１に示されている左表示装置取付部１０Ｌに嵌め込まれて固定され、コネクタプラグ２２が左表示装置取付部１０Ｌ内の上端部に位置する左接続端子１１Ｌと自動的に接続すると共に左検出スイッチ１２Ｌの接点を押圧するように、また図２(b), (c)に示す状態で前述した図１に示されている右表示装置取付部１０Ｒに嵌め込まれて固定され、コネクタプラグ２２が右表示装置取付部１０Ｒ内の下端部に位置する右接続端子１１Ｒと自動的に接続すると共に右検出スイッチ１２Ｒの接点を押圧するように形成されている。
【００３３】
次に、上述のような構成の本発明の携帯型ビデオカメラの実際の使用時の状態について説明する。図３及び図４は、本発明の携帯型ビデオカメラをその通常の使用状態において前面及び背面から見た模式的斜視図である。より具体的には、図３(a) は右利きの使用者用が通常の状態で撮影を行なう場合の使用状態を装置本体１の背面（撮影している使用者側）から見た模式的斜視図を、図３(b) は右利きの使用者用の使用状態を装置本体１の前面（撮影している使用者と対向する側）から見た模式的斜視図を、図４(a) は左利きの使用者用の使用状態を装置本体１の背面（撮影している使用者側）から見た模式的斜視図を、図４(b) は左利きの使用者用の使用状態を装置本体１の前面（撮影している使用者と対向する側）から見た模式的斜視図をそれぞれ示している。
【００３４】
なお、前述の図１には示さなかったが、前部ベルト取付具４Ｆ及び後部ベルト取付具４Ｒには、保持用ベルト５の両端部がそれぞれ回動自在に取り付けられている。また、両ベルト取付具４Ｌ，４Ｌが装置本体１の前面及び後面の下端部に位置しているので、保持用ベルト５はその両端部が装置本体１の前後端部にそれぞれ取り付けられたままの状態で中央部を装置本体１の底面を越えて装置本体１の左側面側にも、右側面側にも位置させることが可能である。
【００３５】
まず、一般的な右利きの使用者が本発明の携帯型ビデオカメラを右手で保持して撮影する場合は、図３に示すように、使用者は保持用ベルト５を装置本体１の右側に位置させて右手で装置本体１を保持できるようにし、更に液晶表示装置２０のグリップ部２４を左表示装置取付部１０Ｌへ挿入して固定する。これにより、図１に示した左検出スイッチ１２Ｌが液晶表示装置２０のグリップ部２４に押圧されてオン状態になり、装置本体１に対して液晶表示装置２０が右利き用の状態で取り付けられたことが検出される。また同時に、図１に示した左接続端子１１Ｌにコネクタプラグ２２が接続する。
【００３６】
上述のようにして、右利き用に液晶表示装置２０が取り付けられたことを左検出スイッチ１２Ｌが検出した場合、装置本体１に内蔵されている電気回路は撮影用レンズ２により撮影された画像、又は再生画像を液晶パネルユニット２１の表示面に通常の状態、即ち画像の上下左右を液晶パネルユニット２１の上下左右と同一とした状態で表示する。この状態において使用者が液晶パネルユニット２１を図３に示すようにグリップ部２４に対して、即ち装置本体１に対して左前方へ開くようにして回転させると、右利きの使用者は液晶パネルユニット２１の表示面に表示された画像を目視で確認しつつ従来の一般的なビデオカメラと同様に撮影を行なうことができると共に、撮影済みの画像を再生して見ることもできる。
【００３７】
一方、左利きの使用者が本発明の携帯型ビデオカメラを左手で保持して撮影する場合は、使用者は図３に示す状態において一旦液晶表示装置２０を装置本体１から取り外し、図４に示すように保持用ベルト５を装置本体１の左側に位置させて左手で装置本体１を保持できるようにし、更に液晶表示装置２０のグリップ部２４を右表示装置取付部１０Ｒへ挿入して固定する。これにより、図１に示した右検出スイッチ１２Ｒが液晶表示装置２０のグリップ部２４に押圧されてオン状態になり、装置本体１に対して液晶表示装置２０が左利き用の状態で取り付けられたことが検出される。また同時に、図１に示した右接続端子１１Ｒにコネクタプラグ２２が接続する。
【００３８】
ところで、上述のようにして液晶表示装置２０が装置本体１に対して左利きの使用者用の状態で取り付けられると、右利きの使用者用の状態で装置本体１に取り付けられた場合に対して上下に 180度回転した状態になっている。従って、そのままの状態では液晶パネルユニット２１の表示面に表示されている画像は使用者から見た場合には上下及び左右が反転した状態になる。しかし、本発明の携帯型ビデオカメラでは、左利きの使用者用に液晶表示装置２０が取り付けられたことを右検出スイッチ１２Ｒが検出した場合、装置本体１に内蔵されている電気回路は撮影用レンズ２により撮影された画像、又は再生画像を上下及び左右を反転させて液晶パネルユニット２１の表示面に表示する。この状態において使用者が液晶パネルユニット２１を図４に示すようにグリップ部２４に対して、即ち装置本体１に対して右前方へ開くようにして回転させると、左利きの使用者は液晶パネルユニット２１の表示面に表示された画像を目視で確認しつつ従来の一般的なビデオカメラと同様に撮影を行なうことができると共に、撮影済みの画像を再生して見ることもできる。
【００３９】
図５及び図６は、いわゆる対面撮影をする場合の本発明の携帯型ビデオカメラをその使用状態において前面及び背面から見た模式的斜視図である。より具体的には、図５(a) は右利きの使用者用の対面撮影時の使用状態を装置本体１の背面（撮影している使用者と対面する側）から見た模式的斜視図を、図５(b) は右利きの使用者用の対面撮影時の使用状態を装置本体１の前面（撮影している使用者の側）から見た模式的斜視図を、図６(a) は左利きの使用者用の対面撮影時の使用状態を装置本体１の背面（撮影している使用者と対面する側）から見た模式的斜視図を、図６(b) は左利きの使用者用の対面撮影時の使用状態を装置本体１の前面（撮影している使用者の側）から見た模式的斜視図をそれぞれ示している。
【００４０】
図５に示されている状態は、図３に示されている状態において、液晶パネルユニット２１をチルト部２３によりグリップ部２４に対して、即ち装置本体１に対して前方へ向くように 180度回転させた状態を示している。この状態においては、前述した図４に示す状態と同様に、本発明の携帯型ビデオカメラでは、装置本体１に内蔵されている電気回路は液晶パネルユニット２１がチルト部２３により 180度回転したことを検出し、撮影用レンズ２により撮影された画像、又は再生画像を上下及び左右を反転させて液晶パネルユニット２１の表示面に表示する。従って、この状態において右利きの使用者は液晶パネルユニット２１の表示面に表示された画像を目視で確認しつつ従来の一般的なビデオカメラと同様にいわゆる対面撮影、即ち自分自身を撮影することができると共に、撮影済みの画像を再生して見ることもできる。
【００４１】
また、図６に示されている状態は、図４に示されている状態において、液晶パネルユニット２１をチルト部２３によりグリップ部２４に対して、即ち装置本体１に対して前方へ向くように 180度回転させた状態を示している。この状態においては、前述した図４に示す状態において、本発明の携帯型ビデオカメラでは、装置本体１に内蔵されている電気回路は液晶パネルユニット２１がチルト部２３により 180度回転したことを検出し、撮影用レンズ２により撮影された画像、又は再生画像を通常の表示状態、即ち上下及び左右を反転させない状態で液晶パネルユニット２１の表示面に表示する。従って、この状態において左利きの使用者は液晶パネルユニット２１の表示面に表示された画像を目視で確認しつつ従来の一般的なビデオカメラと同様にいわゆる対面撮影、即ち自分自身を撮影することができると共に、撮影済みの画像を再生して見ることもできる。
【００４２】
なお、左利きの使用者が対面撮影を行なう場合は上述した図６に示す状態ではなく、図５に示す状態で対面撮影を行なえば装置本体１をより安定して保持することが可能になる。また逆に、右利きの使用者が対面撮影を行なう場合は上述した図５に示す状態ではなく、図６に示す状態で対面撮影を行なえば装置本体１をより安定して保持することが可能になる。
【００４３】
なお、液晶パネルユニット２１の表示面に表示する画像を上下及び左右に反転して表示する技術に関しては、特許文献２に開示されていて公知である。また、上記実施例では液晶表示装置を表示装置として使用する例を示したが、液晶表示装置に限らず、他のたとえば有機ＥＬ(Electro-Luminescent) ディスプレイ、ＬＥＤディスプレイ等を使用することも可能である。
【００４４】
また本発明は、装置本体１の両側面にいずれにも液晶表示装置２０を取り付けることが可能な構成としているため、記録媒体の交換のために必要な機構、具体的には記録媒体を装入し、また取り出すための開口部を設けることが困難であるので、交換が必要な記録媒体、具体的にはカセット式の磁気テープ，ＤＶＤ(Digital Versatile Disc)等のディスク媒体を記録媒体とする装置よりも、長時間記録が可能でしかも記録されたデータを比較的容易に外部へ出力することが可能なことから記録媒体の交換のための開口部を必要としない、内蔵ＨＤＤ(Hard Disc Drive）を記録媒体とする携帯型カメラ一体型記録媒体再生装置において特に有効である。
【図面の簡単な説明】
【００４５】
【図１】本発明の携帯型カメラから後述する表示装置を取り外した状態である本体部（装置本体）の左右側面及び上面，底面を示す模式図である。
【図２】本発明の携帯型カメラの装置本体に対して着脱自在の表示装置の構成及び表示状態を示す模式図である。
【図３】本発明の携帯型カメラを右利きの使用者用の通常の使用状態において前面及び背面から見た模式的斜視図である。
【図４】本発明の携帯型カメラを左利きの使用者用の通常の使用状態において前面及び背面から見た模式的斜視図である。
【図５】本発明の携帯型カメラを右利きの使用者用のいわゆる対面撮影の使用状態において前面及び背面から見た模式的斜視図である。
【図６】本発明の携帯型カメラを左利きの使用者用のいわゆる対面撮影の使用状態において前面及び背面から見た模式的斜視図である。
【符号の説明】
【００４６】
１  装置本体
２  撮影用レンズ
３  ファインダ
４Ｆ  前部ベルト取付具
４Ｒ  後部ベルト取付具
５  保持用ベルト
１０Ｌ  左表示装置取付部
１０Ｒ  右表示装置取付部
１１Ｌ  左接続端子
１１Ｒ  右接続端子
１２Ｌ  左検出スイッチ
１２Ｒ  右検出スイッチ
２０  液晶表示装置
２１  液晶パネルユニット
２２  コネクタプラグ
２３  チルト部
２４  グリップ部
２５  チルト部取付部
【図１】
2005109711.tif 000003
【図２】
2005109711.tif 000004
【図３】
2005109711.tif 000005
【図４】
2005109711.tif 000006
【図５】
2005109711.tif 000007
【図６】
2005109711.tif 000008